(57)【要約】【課題】音の定位感、及び音場の広がりを好適に得る。【解決手段】音響処理装置は、入力された音データに音響処理を実行する音響処理部と、音響処理部が音響処理を実行した音データに基づく音を出力する複数のスピーカ部と、複数のスピーカ部の位置を移動可能に構成されており、複数のスピーカ部を分離させる分離機構とを備える。また、分離機構は、スピーカ部を支持する支持部材と、支持部材をレールの形状に沿って移動させるガイドレールとを備える。【選択図】図１
2018160715.tif 000002
【特許請求の範囲】
【請求項１】
入力された音データに音響処理を実行する音響処理部と、
前記音響処理部が前記音響処理を実行した音データに基づく音を出力する複数のスピーカ部と、
前記複数のスピーカ部の位置を移動可能に構成されており、前記複数のスピーカ部を分離させる分離機構と
を備える音響処理装置。
【請求項２】
前記分離機構は、
前記スピーカ部を支持する支持部材と、
前記支持部材をレールの形状に沿って移動させるガイドレールと
を備える請求項１に記載の音響処理装置。
【請求項３】
前記スピーカ部の向きを変更可能な回転機構を備える請求項２に記載の音響処理装置。
【請求項４】
前記スピーカ部は、着脱可能に構成されている請求項１から請求項３のいずれか一項に記載の音響処理装置。
【請求項５】
前記音響処理部と、前記音響処理部が前記音響処理を実行した音データを出力する出力部と、前記音響処理部を操作する操作部と、を有する電装部を備え、
前記電装部が、着脱可能に構成されている
請求項１から請求項４のいずれか一項に記載の音響処理装置。
【請求項６】
入力された音データに音響処理を実行する音響処理部と、前記音響処理部が前記音響処理を実行した音データを出力する出力部と、前記音響処理部を操作する操作部と、を有し、着脱可能に構成されている電装部と、
前記音響処理部が前記音響処理を実行した音データに基づく音を出力する複数のスピーカ部と、
を備える音響処理装置。
【発明の詳細な説明】
【技術分野】
【０００１】
本発明は、音響処理装置に関する。
【背景技術】
【０００２】
近年、ギターアンプスピーカなどの音響処理装置が知られている。このような音響処理装置では、音響処理部と、スピーカ部とを備え、入力された音データに音響効果を加える音響処理を音響処理部により行って、スピーカ部から出力する。また、狭い間隔で配置されたスピーカで、音の定位感を損なわずに疑似的に音場を広げる技術が知られている（例えば、特許文献１を参照）。
【先行技術文献】
【特許文献】
【０００３】
【特許文献１】特許第５２０６１３７号公報
【発明の概要】
【発明が解決しようとする課題】
【０００４】
しかしながら、上述した音響処理装置では、例えば、ギターアンプスピーカなどの音響処理部とスピーカ部とが一体構成されている場合には、スピーカ部の配置が狭い間隔で固定であり、音の定位感や音場の広がりを得られない場合があった。また、特許文献１に記載の疑似的に音場を広げる技術では、音の定位感、及び音場の広がりが不十分な可能性があった。
【０００５】
本発明は、上記問題を解決すべくなされたもので、その目的は、音の定位感、及び音場の広がりを好適に得ることができる音響処理装置を提供することにある。
【課題を解決するための手段】
【０００６】
上記問題を解決するために、本発明の一態様は、入力された音データに音響処理を実行する音響処理部と、前記音響処理部が前記音響処理を実行した音データに基づく音を出力する複数のスピーカ部と、前記複数のスピーカ部の位置を移動可能に構成されており、前記複数のスピーカ部を分離する分離機構とを備える音響処理装置である。
【発明の効果】
【０００７】
本発明によれば、音の定位感、及び音場の広がりを好適に得ることができる。
【図面の簡単な説明】
【０００８】
【図１】第１の実施形態による音響処理装置の一例を示す構成図である。
【図２】第１の実施形態による音響処理装置の一例を示す機能ブロック図である。
【図３】第１の実施形態における分離機構及び回転機構の一例を示す図である。
【図４】第２の実施形態による音響処理装置の一例を示す構成図である。
【図５】第２の実施形態における分離機構の一例を示す図である。
【発明を実施するための形態】
【０００９】
以下、本発明の一実施形態による音響処理装置について、図面を参照して説明する。
【００１０】
［第１の実施形態］
図１は、第１の実施形態による音響処理装置１の一例を示す構成図である。また、図２は、本実施形態による音響処理装置１の一例を示す機能ブロック図である。
【００１１】
図１及び図２に示すように、音響処理装置１は、電装部１０と、スピーカ部（２０Ｌ、２０Ｒ）とを備えている。音響処理装置１は、例えば、持ち運び可能なギターアンプスピーカであり、マルチエフェクタとして機能する。音響処理装置１は、ギター２の演奏を入力として入力された音に、音響効果を加える音響処理を実行し、音響処理された音をスピーカ部（２０Ｌ、２０Ｒ）から出力（放音）する。
【００１２】
また、音響処理装置１では、電装部１０が着脱可能に構成されており、スピーカ部（２０Ｌ、２０Ｒ）のそれぞれが、分離可能に構成されている。なお、図１（ａ）は、電装部１０とスピーカ部（２０Ｌ、２０Ｒ）とを分離しない場合の音響処理装置１の外観図を示している。また、図１（ｂ）は、電装部１０とスピーカ部（２０Ｌ、２０Ｒ）とを分離した場合（取り外した場合）の音響処理装置１の構成例を示している。電装部１０とスピーカ部（２０Ｌ、２０Ｒ）とを分離する構成の詳細については後述する。
【００１３】
なお、以下の説明において、音響処理装置１のスピーカ部（２０Ｌ、２０Ｒ）の放音面の長手方向をＸ軸方向とし、音響処理装置１の長手方向に直交する奥行方向をＹ軸方向とし、音響処理装置１の高さ方向をＺ軸方向として説明する。
【００１４】
電装部１０は、操作部１１と、入力部１２と、音響処理部１３と、通信部１４と、出力部１５と、記憶部１６とを備え、例えば、入力された音に各種音響処理を実行し、例えば、マルチエフェクタとして機能する。電装部１０は、通信部１４を介して、スピーカ部（２０Ｌ、２０Ｒ）と連携しての使用が可能であるとともに、出力部１５を利用して、スピーカ部（２０Ｌ、２０Ｒ）と連携しない単体での使用も可能である。
【００１５】
操作部１１は、例えば、音響処理装置１の各種操作を受け付けるスイッチや操作つまみなどである。
入力部１２は、例えば、ＡＤＣ（Analog to Digital Converter）を有し、ギター２からの音信号を受け付け、音データに変換して、音響処理部１３に供給する。
【００１６】
音響処理部１３は、例えば、ＤＳＰ（Digital Signal Processor）などのプロセッサであり、入力部１２から入力された音データに音響効果を加える音響処理を実行する。ここで、音響処理とは、例えば、コンプレッサやイコライザ（ＥＱ）、ディレイ等の各種エフェクト処理、ピッチシフトやタイムストレッチ、帯域拡張等の各種効果を加える加工処理などである。また、音響処理には、音データに対し何も処理を行なわずに音データを通過させる、いわゆるバイパス処理も含まれる。音響処理部１３は、例えば、操作部１１による各種操作に基づく音響処理を実行し、音響処理された音データを通信部１４又は出力部１５に出力する。また、音響処理部１３は、音響処理の設定情報を、後述する記憶部１６に記憶させる、又は記憶部１６から取得するようにしてもよい。
【００１７】
通信部１４は、例えば、Bluetooth（登録商標）や赤外線通信などのワイヤレス通信により、スピーカ部（２０Ｌ、２０Ｒ）に音響処理部１３が音響処理した音データを送信して、スピーカ部（２０Ｌ、２０Ｒ）に送信した音データに基づく音を出力させる。
【００１８】
出力部１５は、例えば、ライン出力部であり、音響処理部１３が音響処理した音データに基づく音信号を出力する。
記憶部１６は、音響処理装置１の各種処理に利用する情報を記憶する。記憶部１６は、例えば、音響処理の設定情報などを記憶する。
【００１９】
スピーカ部２０Ｌは、例えば、Ｌチャネル用スピーカ装置であり、スピーカ部２０Ｒは、例えば、Ｒチャネル用スピーカ装置である。スピーカ部２０Ｌは、通信部２１Ｌと、アンプ部２２Ｌと、スピーカ２３Ｌとを備える。また、スピーカ部２０Ｒは、通信部２１Ｒと、アンプ部２２Ｒと、スピーカ２３Ｒとを備える。
【００２０】
なお、スピーカ部２０Ｌと、スピーカ部２０Ｒとは、同一の構成であり、音響処理装置１が備える任意のスピーカ部を示す場合、又は特に区別しない場合には、スピーカ部２０として説明する。また、通信部２１Ｌ及び通信部２１Ｒ、アンプ部２２Ｌ及びアンプ部２２Ｒ、スピーカ２３Ｌ及びスピーカ２３Ｒについても同様に、音響処理装置１が備える任意の構成を示し場合、又は特に区別しない場合には、通信部２１、アンプ部２２、スピーカ２３として説明する。
【００２１】
通信部２１は、上述した通信部１４と同一のワイヤレス通信により、音響処理部１３が音響処理した音データを受信する。通信部２１は、受信した音データをアンプ部２２に出力する。
アンプ部２２は、例えば、ＤＡＣ（Digital to Analog Converter）内蔵アンプであり、取得した音データを変換及び増幅した音信号をスピーカ２３に出力して、スピーカ２３から音を出力させる。
スピーカ２３は、アンプ部２２から出力された音信号を音に変換して、出力（放音）する。
【００２２】
また、図１（ｂ）に示すように、音響処理装置１は、複数（例えば、２つ）のスピーカ部２０の相対位置を移動可能に構成された分離機構３０を備えている。ここでの相対位置とは、他のスピーカ部２０に対する位置のことであり、例えば、２つのスピーカ部２０がある場合には、相対位置は、２つのスピーカ部２０の互いの相対する位置を示す。
音響処理装置１では、電装部１０が着脱可能に構成されており、さらに、電装部１０が分離した後のスピーカ部２０Ｌとスピーカ部２０Ｒとが、分離機構３０により分離される。
【００２３】
分離機構３０は、２つのスピーカ部２０（２０Ｌ、２０Ｒ）を音響処理装置１の長手方向（Ｘ軸方向）に分離及び移動させて、２つのスピーカ部２０の配置を変更する。分離機構３０は、バックパネル３１と、ラックアンドピニオン機構３２と、ガイドレール（３３、３５）と、支持部材（３４、３６）と、上部板（４１、５１）と、下部板（４２、５２）とを備える。
【００２４】
バックパネル３１は、２つのスピーカ部２０の背面に配置された板であり、ラックアンドピニオン機構３２を固定するとともに、支持部材（３４、３６）を固定する。
ラックアンドピニオン機構３２は、音響処理装置１の長手方向（Ｘ軸方向）に２つのスピーカ部２０を移動させて、２つのスピーカ部２０を音響処理装置１の長手方向中心から均等に分離させる。ラックアンドピニオン機構３２は、ピニオン部３２１と、ラック部（３２２、３２３）とを備える。
【００２５】
ピニオン部３２１は、円形歯車であり、円形歯車が回転可能にバックパネル３１に設置されている。ピニオン部３２１は、後述するラック部（３２２、３２３）の歯と歯車の歯とがかみ合うように配置されており、当該ピニオン部３２１が回転することにより、ラック部（３２２、３２３）が音響処理装置１の長手方向（Ｘ軸方向）に移動させる。
【００２６】
ラック部（３２２、３２３）は、ピニオン部３２１の歯車の歯と噛み合う歯が付けられた平板状の棒である。ラック部（３２２、３２３）は、音響処理装置１の長手方向（Ｘ軸方向）に平行に配置されており、ピニオン部３２１が回転することにより、長手方向中心から均等に移動する。ラック部３２２は、スピーカ部２０Ｌの背面に接続されており、ラック部３２２が長手方向（Ｘ軸方向）に移動することにより、スピーカ部２０Ｌを移動させる。また、ラック部３２３は、スピーカ部２０Ｒの背面に接続されており、ラック部３２３が長手方向（Ｘ軸方向）に移動することにより、スピーカ部２０Ｒを移動させる。ここで、スピーカ部２０Ｌの背面及びスピーカ部２０Ｒの背面とは、放音面の反対側の面のことである。
【００２７】
ガイドレール３３は、スピーカ部２０Ｌの背面に設置され、支持部材３４をレール（ガイドレール３３）の形状に沿って直線状に移動させることにより、スピーカ部２０Ｌを長手方向（Ｘ軸方向）に直線移動させる。また、ガイドレール３５は、スピーカ部２０Ｒの背面に設置され、支持部材３６をレール（ガイドレール３５）の形状に沿って直線状に移動させることにより、スピーカ部２０Ｒを長手方向（Ｘ軸方向）に直線移動させる。
【００２８】
支持部材３４は、バックパネル３１に接続されており、スピーカ部２０Ｌを支持する。支持部材３４は、ガイドレール３３に沿って移動することにより、スピーカ部２０Ｌを直線状に移動させる。また、支持部材３６は、バックパネル３１に接続されており、スピーカ部２０Ｒを支持する。支持部材３６は、ガイドレール３５に沿って移動することにより、スピーカ部２０Ｒを直線状に移動させる。
【００２９】
上部板４１と下部板４２とは、スピーカ部２０Ｌを上下に挟み込むように配置されており、上下に挟み込むことでスピーカ部２０Ｌを保持する。また、上部板５１と下部板５２とは、スピーカ部２０Ｒを上下に挟み込むように配置されており、上下に挟み込むことでスピーカ部２０Ｒを保持する。
【００３０】
なお、上部板４１と下部板４２とは、スピーカ部２０Ｌの向き（放音方向）を変更する回転機構４０に含まれ、上部板５１と下部板５２とは、スピーカ部２０Ｒの向き（放音方向）を変更する回転機構５０に含まれる。
【００３１】
次に、図３を参照して、本実施形態による分離機構３０及び回転機構（４０、５０）の詳細及び動作について説明する。
図３は、本実施形態における分離機構３０及び回転機構（４０、５０）の一例を示す図である。
【００３２】
図３（ａ）は、電装部１０を分離した後（取り外した後）のスピーカ部（２０Ｌ、２０Ｒ）を上方（Ｚ軸方向）から見た図である。また、図３（ａ）は、分離機構３０がスピーカ部２０Ｌとスピーカ部２０Ｒとを分離する前の状態、及び回転機構（４０、５０）がスピーカ部２０Ｌ及びスピーカ部２０Ｒの向きを変更する前の状態を示している。
【００３３】
図３（ａ）に示すように、音響処理装置１は、スピーカ部２０Ｌの向き（放音方向）を変更する回転機構４０と、スピーカ部２０Ｒの向き（放音方向）を変更する回転機構５０とを備えている。
回転機構４０は、上部板４１と下部板４２とを備え、上部板４１は、ガイド溝４１１と、フォローピン４１２とを備える。
【００３４】
ガイド溝４１１（カム溝）は、上部板４１に配置されており、フォローピン４１２がガイド溝４１１に沿って移動することにより、スピーカ部２０Ｌの向き（放音方向）を変更する。また、フォローピン４１２（カムフォローピン）は、スピーカ部２０Ｌの上面に配置されており、ガイド溝４１１を移動可能に構成されている。なお、下部板４２にも、ガイド溝４１１及びフォローピン４１２と同様のガイド溝及びフォローピンが配置されている。
【００３５】
また、回転機構５０は、上部板５１と下部板５２とを備え、上部板５１は、ガイド溝５１１と、フォローピン５１２とを備える。
ガイド溝５１１（カム溝）は、上部板５１に配置されており、フォローピン５１２がガイド溝５１１に沿って移動することにより、スピーカ部２０Ｒの向き（放音方向）を変更する。また、フォローピン５１２（カムフォローピン）は、スピーカ部２０Ｒの上面に配置されており、ガイド溝５１１を移動可能に構成されている。なお、下部板５２にも、ガイド溝５１１及びフォローピン５１２と同様のガイド溝及びフォローピンが配置されている。
【００３６】
また、図３（ｂ）は、分離機構３０がスピーカ部２０Ｌとスピーカ部２０Ｒとを分離した状態の一例を示している。図３（ｂ）では、ラックアンドピニオン機構３２のピニオン部３２１が回転することにより、ラック部３２２が移動するとともに、ガイドレール３３に沿って支持部材３４が移動する。これにより、スピーカ部２０Ｌが、左側に移動する。
【００３７】
また、ピニオン部３２１が回転することにより、ラック部３２３が移動するとともに、ガイドレール３５に沿って支持部材３６が移動する。これにより、スピーカ部２０Ｒが、右側に移動する。ここで、スピーカ部２０Ｌの移動距離と、スピーカ部２０Ｒの移動距離とは、ラックアンドピニオン機構３２により等しくなっている。
このように、本実施形態では、分離機構３０によって、スピーカ部２０Ｌとスピーカ部２０Ｒとの相対距離を移動可能である。
【００３８】
また、図３（ｃ）は、分離機構３０がスピーカ部２０Ｌとスピーカ部２０Ｒとを分離した状態、且つ、回転機構（４０、５０）が、スピーカ部２０（２０Ｌ、２０Ｒ）の向きを変更させた状態の一例を示している。
図３（ｃ）に示すように、回転機構４０のガイド溝４１１に沿ってフォローピン４１２を移動させることにより、スピーカ部２０Ｌの向きが変更される。また、回転機構５０のガイド溝５１１に沿ってフォローピン５１２を移動させることにより、スピーカ部２０Ｒの向きが変更される。
【００３９】
次に、本実施形態による音響処理装置１をギター２に接続して、ギター２の音を出力する動作について説明する。まず、音響処理装置１のスピーカ部２０から音を出力する場合の動作について説明する。
【００４０】
まず、ギター２の音信号を入力部１２が受信し、デジタル信号である音データに変換して、音響処理部１３に出力する。音響処理部１３は、操作部１１から取得した設定情報に基づいて、音響処理を実行し、当該音響処理された音データを、通信部１４に出力する。
【００４１】
次に、通信部１４は、音響処理部１３から出力された音データを、ワイヤレス通信により、スピーカ部２０の通信部２１に送信する。通信部２１は、受信した音データをアンプ部２２に出力する。アンプ部２２は、通信部２１が受信した音データに基づく音を増幅して、スピーカ２３に出力させる。なお、スピーカ部２０Ｌの動作とスピーカ部２０Ｒの動作とは、音データが左チャンネル用と右チャンネル用との違いがある点を除いて、同様である。
このように、音響処理装置１では、ギター２の音が、電装部１０の音響処理部１３によって音響処理されて、スピーカ部２０から出力される。
【００４２】
次に、本実施形態による音響処理装置１の電装部１０単体で使用し、ギター２の音を外部のスピーカ装置（不図示）から出力する場合の動作について説明する。
このような場合には、電装部１０の音響処理部１３は、操作部１１から取得した設定情報に基づいて、音響処理を実行し、当該音響処理された音データを、出力部１５に出力する。出力部１５は、出力部１５にライン接続されたスピーカ装置に、音データを出力し、音響処理部１３によって音響処理されたギター２の音をスピーカに装置に出力させる。
【００４３】
このように、音響処理装置１では、電装部１０単体で使用することができ、ギター２の音が、電装部１０の音響処理部１３によって音響処理されて、出力部１５を介して外部のスピーカ装置から出力されせることができる。
【００４４】
なお、音響処理部１３は、記憶部１６が記憶する設定情報に基づいて音響処理を行ってもよい。また、音響処理部１３は、操作部１１によって設定された設定情報を、操作部１１からの指示に基づいて、記憶部１６に記憶させるようにしてもよい。
【００４５】
以上説明したように、本実施形態による音響処理装置１は、音響処理部１３と、複数（例えば、２つ）のスピーカ部２０と、分離機構３０とを備える。音響処理部１３は、入力された音データに音響処理を実行する。複数のスピーカ部２０は、音響処理部１３が音響処理を実行した音データに基づく音を出力する。分離機構３０は、複数のスピーカ部２０の位置（他のスピーカ部２０との相対位置）を移動可能に構成されており、複数のスピーカ部２０を分離させる。
これにより、本実施形態による音響処理装置１は、複数のスピーカ部２０の相対位置を移動できるため、複数のスピーカ部２０の間の距離を広げることができる。そのため、本実施形態による音響処理装置１は、音の定位感、及び音場の広がりを好適に得ることができる。
【００４６】
また、本実施形態では、分離機構３０は、スピーカ部２０を支持する支持部材３４（３６）と、支持部材３４（３６）をレール（ガイドレール３３（３５））の形状に沿って移動させるガイドレール３３（３５）とを備える。
これにより、本実施形態による音響処理装置１は、簡易な構成により、適切に複数のスピーカ部２０の相対位置を移動させることができる。
【００４７】
また、本実施形態では、分離機構３０は、複数のスピーカ部２０を均等に移動させるラックアンドピニオン機構３２を備える。
これにより、本実施形態による音響処理装置１は、音の定位感を損なうことなく、音場の広がりを好適に得ることができる。
【００４８】
また、本実施形態による音響処理装置１は、スピーカ部２０の向き（放音方向）を変更可能な回転機構（４０、５０）を備える。
これにより、本実施形態による音響処理装置１は、スピーカ部２０の向きを変更できるため、スピーカ部２０の配置の自由度を高めることができ、音の定位感、及び音場の広がりをさらに好適に得ることができる。
【００４９】
また、本実施形態による音響処理装置１は、音響処理部１３と、音響処理部１３が音響処理を実行した音データを出力する出力部１５と、音響処理部１３を操作する操作部１１と、を有する電装部１０を備える。そして、電装部１０が、着脱可能に構成されている。すなわち、本実施形態による音響処理装置１は、入力された音データに音響処理を実行する音響処理部１３と、音響処理部１３が音響処理を実行した音データを出力する出力部１５と、音響処理部１３を操作する操作部１１と、を有し、着脱可能に構成されている電装部１０と、音響処理部１３が音響処理を実行した音データに基づく音を出力する複数のスピーカ部２０とを備える。
これにより、本実施形態による音響処理装置１では、電装部１０を単体で使用することができ、電装部１０を、例えば、小型コンポアンプとして使用することができる。よって、本実施形態による音響処理装置１では、利便性を向上させることができる。
【００５０】
また、例えば、使用者は、電装部１０をスタジオなどに持ち込んで、ギター２の音を電装部１０で音響処理してスタジオの設置されているスピーカに出力させることができる。この場合、使用者は、普段から慣れ親しんだ電装部１０の操作感で好みの音色を作成することができるとともに、記憶部１６に設定情報を記憶させることにより、作成した音色を容易に再現させることが可能になる。このように、本実施形態による音響処理装置１では、電装部１０が着脱可能に構成されていることにより、利便性を向上させることができる。
【００５１】
また、電装部１０とスピーカ部２０とを分離して使用できるため、使用者は、電装部１０を手元に置いて、電装部１０を操作しながら、使用者から離れた場所にあるスピーカ部２０から音を出力させることができ、利便性を向上させることができる。
【００５２】
［第２の実施形態］
次に、図面を参照して、第２の実施形態による音響処理装置１ａについて説明する。
本実施形態では、スピーカ部２０ａが着脱可能に構成されている場合の一例について説明する。
【００５３】
図４は、本実施形態による音響処理装置１ａの一例を示す構成図である。
図４に示すように、音響処理装置１ａは、電装部１０と、２つのスピーカ部２０ａ（２０ａＬ、２０ａＲ）と、分離機構３０ａとを備える。
なお、図４において、上述した図１と同一の構成については、同一の符号を付与してその説明を省略する。また、スピーカ部２０ａＬと、スピーカ部２０ａＲとは、音響処理装置１ａが備える任意のスピーカ部を示す場合、又は特に区別しない場合には、スピーカ部２０ａとして説明する。
【００５４】
また、図４（ａ）は、電装部１０とスピーカ部２０ａ（２０ａＬ、２０ａＲ）とを分離しない場合の音響処理装置１ａの外観図を示している。電装部１０とスピーカ部２０ａ（２０ａＬ、２０ａＲ）とを分離しない場合の音響処理装置１ａの外観は、図１（ａ）に示す第１の実施形態と同様であるため、ここではその説明を省略する。
【００５５】
また、図４（ｂ）は、電装部１０とスピーカ部２０ａＬと、スピーカ部２０ａＲとを分離した場合の音響処理装置１ａの構成例を示している。
図４（ｂ）に示すように、本実施形態におけるスピーカ部２０ａは、着脱可能に構成されている。スピーカ部２０ａは、自由な位置に配置可能である。
【００５６】
次に、図５を参照して、本実施形態による分離機構３０ａの詳細及び動作について説明する。
図５は、本実施形態における分離機構３０ａの一例を示す図である。
【００５７】
図５（ａ）は、電装部１０を分離した後（取り外した後）のスピーカ部（２０ａＬ、２０ａＲ）を上方（Ｚ軸方向）から見た図である。また、図５（ａ）は、分離機構３０ａがスピーカ部２０ａＬとスピーカ部２０ａＲとを分離する前の状態を示している。
また、図５（ｂ）は、分離機構３０ａがスピーカ部２０ａＬとスピーカ部２０ａＲとを分離した状態を示している。
【００５８】
図５（ａ）及び図５（ｂ）に示すように、分離機構３０ａは、スピーカ部２０ａＬの接続面に位置決めボス３７と磁石Ｍ１とを備え、スピーカ部２０ａＲの接続面に位置決めボス３８と磁石Ｍ２とを備えている。ここで、接続面とは、スピーカ部２０ａＬとスピーカ部２０ａＲとの接続面を示す。
【００５９】
位置決めボス３７は、ガイド付きの凸部となっており、スピーカ部２０ａＲの接続面のうちの対向する部分に形成された凹部と一致するように形成されている。また、位置決めボス３７は、対向する凹部に設けられた磁石Ｍ２により、スピーカ部２０ａＬとスピーカ部２０ａＲとを固定する。
【００６０】
また、位置決めボス３８は、ガイド付きの凸部となっており、スピーカ部２０ａＬの接続面のうちの対向する部分に形成された凹部と一致するように形成されている。また、位置決めボス３８は、対向する凹部に設けられた磁石Ｍ１により、スピーカ部２０ａＬとスピーカ部２０ａＲとを固定する。
【００６１】
このように、スピーカ部２０ａＬとスピーカ部２０ａＲとは、分離機構３０ａにより着脱可能に構成されており、スピーカ部２０ａＬとスピーカ部２０ａＲとを自由に配置することがでる。すなわち、分離されたスピーカ部２０ａＬとスピーカ部２０ａＲとは、例えば、自由な距離間隔での配置や、向きの変更が可能であり、横置きにすることも可能である。
【００６２】
また、本実施形態による音響処理装置１ａの機能ブロック図は、上述した図２に示す音響処理装置１と同様であるため、ここではその説明を省略する。本実施形態による音響処理装置１ａでは、スピーカ部２０Ｌ及びスピーカ部２０Ｒが、同様の機能ブロックを備えるスピーカ部２０ａＬ及びスピーカ部２０ａＲに置き換わっているが、機能ブロック図としては同様である。
【００６３】
以上説明したように、本実施形態による音響処理装置１ａは、複数（例えば、２つ）のスピーカ部２０ａの相対位置を移動可能に構成されており、複数のスピーカ部２０ａを分離させる分離機構３０ａを備える。
これにより、本実施形態による音響処理装置１ａは、第１の実施形態と同様の効果を奏し、音の定位感、及び音場の広がりを好適に得ることができる。
【００６４】
また、本実施形態の分離機構３０ａでは、２つのスピーカ部２０ａは、着脱可能に構成されている。
これにより、本実施形態による音響処理装置１ａは、スピーカ部２０ａを自由な配置、向きにして使用することが可能であり、使用者の好む定位感をえることができる。よって、本実施形態による音響処理装置１ａは、音の定位感、及び音場の広がりをさらに好適に得ることができる。また、本実施形態による音響処理装置１ａは、スピーカ部２０ａの配置の自由度を高めることができるため、利便性を向上させることができる。
【００６５】
なお、本発明は、上記の各実施形態に限定されるものではなく、本発明の趣旨を逸脱しない範囲で変更可能である。
例えば、上記の各実施形態において、音響処理装置１（１ａ）は、一例として、ギター２の音を音源とするギターアンプスピーカである例を説明したが、これに限定されるものではない。音響処理装置１（１ａ）は、他の楽器や装置を音源もとする者であってもよいし、電装部１０とスピーカ部２０（２０ａ）とを備える装置であれば、他の処理装置であってもよい。
【００６６】
また、上記の各実施形態において、電装部１０からスピーカ部２０（２０ａ）に音データを送信する際に、ワイヤレス通信を利用する例を説明したが、有線により送信するようにしてもよい。また、ワイヤレス通信の方式は、上述したものに限定されるものではなく、他の方式のワイヤレス通信を利用するようにしてもよい。
【００６７】
また、上記の各実施形態において、複数のスピーカ部２０（２０ａ）を分離する一例として、２つのスピーカ部２０（２０ａ）を分離する例を説明したがこれに限定されるものではない。例えば、音響処理装置１（１ａ）は、３つ以上のスピーカ部２０（２０ａ）を備え、各スピーカ部２０（２０ａ）が分離できるようにしてもよい。
【００６８】
また、上記の実施形態において、複数のスピーカ部の相対位置を移動可能にする構成の一例として、分離機構３０（３０ａ）について説明したが、これに限定されるものではない。例えば、第１の実施形態において、分離機構３０は、上部板（４１、５１）及び下部板（４２、５２）からスピーカ部２０Ｌ及びスピーカ部２０Ｒが着脱可能に構成されてもよい。また、ラックアンドピニオン機構３２及びガイドレール（３３、３５）がバックパネル３１に配置される例を説明したが、これらを下部板（４２、５２）の下に配置するようにしてもよい。
【００６９】
また、この場合、支持部材（３４、３６）に回転機構を設けて、スピーカ部２０の向きを変更できるようにしてもよい。また、回転機構には、ラチェット機構などを用いて、角度を固定できるようにしてもよい。
また、上述した回転機構（４０、５０）は、左右方向（Ｘ軸方向）にスピーカ部２０の向きを回転させる例を説明したが、上下方向（Ｚ軸方向）にスピーカ部２０の向きを回転させる構造であってもよい。例えば、回転機構（４０、５０）は、側部板を設けて、当該側部板によりスピーカ部２０を支持し、ガイド溝及びフォローピンにより上下方向にスピーカ部２０の向きを変更できるようにしてもよい。
また、上記の第１の実施形態において、分離機構３０は、回転機構（４０、５０）を備えない形態であってもよい。
【００７０】
また、第１の実施形態において、ガイドレール（３３、３５）と支持部材（３４、３６）との組は、２組に限定されるものではなく、３組以上であってもよい。また、ガイドレール（３３、３５）を上下方向（Ｚ軸方向）に配置して、スピーカ部２０を上下方向に移動できるようにしてもよい。
【００７１】
また、第１の実施形態において、ガイドレール（３３、３５）が、直線状のレールである例を説明したが、これに限定されるものではなく、例えば、扇形（円弧状）などの湾曲した他の経路（所定の経路）に沿って支持部材（３４、３６）を移動させるような形状であってもよい。
なお、上記の各実施形態において、音響処理装置１（１ａ）は、形状が直方体である例を説明したが、これに限定されるものではなく、例えば、扇型など曲線を有する形状であってもよい。このような場合に、音響処理装置１（１ａ）は、上述した湾曲した経路（所定の経路）に沿って支持部材（３４、３６）を移動させるようなガイドレール（３３、３５）を備えるようにしてもよい。
【００７２】
また、上記の各実施形態において、音響処理部１３の音響処理は、各実施形態で説明した処理に限定されるものではなく、他の音響処理を行うようにしてもよい。
また、上記の各実施形態において、アンプ部２２は、ＤＡＣ内蔵アンプである例を説明したが、ＤＡＣを備えないアンプであってもよい。また、この場合、ＤＡＣ機能は、音響処理部１３又は通信部２１が備えるようにしてもよい。
【００７３】
上述の音響処理装置１（１ａ）は内部に、コンピュータシステムを有している。そして、上述した音響処理装置１（１ａ）の各処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【００７４】
１，１ａ…音響処理装置、２…ギター、１０…電装部、１１…操作部、１２…入力部、１３…音響処理部、１４，２１，２１Ｌ，２１Ｒ…通信部、１５…出力部、１６…記憶部、２０，２０Ｌ，２０Ｒ，２０ａ，２０ａＬ，２０ａＲ…スピーカ部、２２，２２Ｌ，２２Ｒ…アンプ部、２３，２３Ｌ，２３Ｒ…スピーカ、３０，３０ａ…分離機構、３１…バックパネル、３２…ラックアンドピニオン機構、３３，３５…ガイドレール、３４，３６…支持部材、３７，３８…位置決めボス、４０，５０…回転機構、４１，５１…上部板、４２，５２…下部板、３２１…ピニオン部、３２２，３２３…ラック部、４１１，５１１…ガイド溝、４１２、５１２…フォローピン、Ｍ１，Ｍ２…磁石
【図１】
2018160715.tif 000003
【図２】
2018160715.tif 000004
【図３】
2018160715.tif 000005
【図４】
2018160715.tif 000006
【図５】
2018160715.tif 000007